(57)【要約】【課題】ベゼル構成枠材の連結部分で液晶パネルの端縁部が損傷しないように改良した液晶モジュールを提供する。【解決手段】左右のベゼル構成枠材９２の両端から内側に直角に突き出す連結用突端部９２ａを液晶パネル８より外側に偏位させて設け、上下のベゼル構成枠材９１の両端に連結用突端部を受ける一段低い受け段部９１ａを液晶パネル８より外側に偏位させて設け、ベゼル構成枠材９１の受け段部を除いた両端面を左右のベゼル構成枠材９２の内側端面に近接させると共に、連結用突端部９２ａを受け段部９１ａに重ねてビス１０で連結固定した構成の液晶モジュールとする。ビスで連結固定する際に連結用突端部９２ａの角部が押え込まれても、液晶パネル８の外側に偏位して設けられているので液晶パネル８と接触して傷つけることがない。【選択図】図２
2011002657.tif 000002
【特許請求の範囲】
【請求項１】
上下のベゼル構成枠材と左右のベゼル構成枠材を方形枠状に連結したベゼルで液晶パネルの四周縁を囲繞被覆した液晶モジュールであって、
左右のベゼル構成枠材の両端から内側に直角に突き出す連結用突端部を液晶パネルより外側に偏位させて設ける一方、上下のベゼル構成枠材の両端に連結用突端部を受ける一段低い受け段部を液晶パネルより外側に偏位させて設け、上下のベゼル構成枠材の受け段部を除いた両端面を左右のベゼル構成枠材の内側端面に近接させると共に、連結用突端部を受け段部に重ねてビスで連結固定したことを特徴とする液晶モジュール。
【請求項２】
連結用突端部を設けた左右のベゼル構成枠材の両端の内側コーナーに出隅部を液晶パネルより外側に偏位させて設ける一方、上下のベゼル構成枠材の両端に出隅部を避ける入隅部を液晶パネルより外側に偏位させて設けたことを特徴とする請求項１に記載の液晶モジュール。
【請求項３】
上下のベゼル構成枠材と左右のベゼル構成枠材を方形枠状に連結したベゼルで液晶パネルの四周縁を囲繞被覆した液晶モジュールであって、
上下のベゼル構成枠材の両端から内側に直角に突き出す連結用突端部を液晶パネルより外側に偏位させて設ける一方、左右のベゼル構成枠材の両端に連結用突端部を受ける一段低い受け段部を液晶パネルより外側に偏位させて設け、左右のベゼル構成枠材の受け段部を除いた両端面を上下のベゼル構成枠材の内側端面に近接させると共に、連結用突端部を受け段部に重ねてビスで連結固定したことを特徴とする液晶モジュール。
【請求項４】
連結用突端部を設けた上下のベゼル構成枠材の両端の内側コーナーに出隅部を液晶パネルより外側に偏位させて設ける一方、左右のベゼル構成枠材の両端に出隅部を避ける入隅部を液晶パネルより外側に偏位させて設けたことを特徴とする請求項３に記載の液晶モジュール。
【発明の詳細な説明】
【技術分野】
【０００１】
本発明は、テレビ、パソコンその他の電子機器に組み込まれる液晶モジュールに関し、特に、ベゼル構成枠材の連結部分で液晶パネルが損傷しないように改良した液晶モジュールに関する。
【背景技術】
【０００２】
従来の一般的な液晶モジュールは、板金材料を節約してコストダウンを図るため、板金製のベゼルを上下二本のベゼル構成枠材と左右二本のベゼル構成枠材に分割し、これらのベゼル構成枠材を方形枠状に連結したベゼルで液晶パネルの四周縁を囲繞被覆している。
【０００３】
斯かる液晶モジュールの上下のベゼル構成枠材と左右のベゼル構成枠材との連結部分は、例えば図９に示すような連結構造となっている。即ち、左右のベゼル構成部材１０１の両端には、内側に直角に突き出す連結用突端部１０１ａが設けられており、上下のベゼル構成部材１０２の両端から突設された連結用突片１０２ａが連結用突端部１０１ａの凹部１０１ｂの下側に重ねられて、ビス１０３で連結されると共にリアフレーム（不図示）に固定された構造となっている。
【０００４】
また、ベゼル構成枠材の連結に関連する技術としては、ベゼルを構成する二本の長手支持枠と二本の短手支持枠を互いの両端部で重ねてビス止めしたもの（特許文献１）や、ベゼルを対角方向の二つのコーナー部で二分割した第一及び第二のＬ形部材の両端に突片を形成し、突片同士を重ねてビス止めしたもの（特許文献２）や、上下のベゼル構成枠材の両端に連結用突片を２つずつ形成し、この連結用突片を左右の縦長コ字状のベゼル構成枠材に重ねてビス止めしたもの（特許文献３）などが知られている。
【先行技術文献】
【特許文献】
【０００５】
【特許文献１】特開２００７−３０４２７９号公報
【特許文献２】特開２００７−１７８３５号公報
【特許文献３】特開２００６−３３０２７１号公報
【発明の概要】
【発明が解決しようとする課題】
【０００６】
しかしながら、図９に示す従来のベゼル構成枠材の連結構造では、ベゼル構成枠材１０１の連結用突端部１０１ａの先端面１０１ｃとベゼル構成枠材１０２の両端面１０２ｃが液晶パネル１０４の端縁部１０４aに一部重なり、ビス１０３で連結用突端部１０１ａと連結用突片１０２ａを連結固定するときに、左右のベゼル構成枠材１０１が内側へ倒れ込む方向の力を受けると、連結用突端部１０１ａの先端内側の角部１０１ｄが液晶パネル１０４の端縁部１０４ａに接触することがあるため、連結用突端部１０１ａの先端面１０１ｃに打抜き時のバリが発生している場合には、バリによって液晶パネル１０４の端縁部１０４ａに傷が付くという問題があった。
【０００７】
斯かる問題の解決策の一つとして、連結用突端部１０１ａの先端内側の角部１０１ｄと液晶パネル１０４の端縁部１０４ａとの間に小さいクッション材を介在させることが考えられるが、その場合は部品代が嵩み、部品点数及び組立工数が増えて、コストアップを招くという新たな問題が生じる。
【０００８】
上記のように液晶パネル１０４の端縁部１０４ａに傷が付くという問題は、前記特許文献３のベゼル構成枠材の連結構造においても、上下のベゼル構成枠材や左右の縦長コ字状のベゼル構成枠材の両端の打抜き端面にバリが発生している場合には、同様に生じるものである。
【０００９】
なお、前記特許文献１，２の連結構造では上記の問題は生じないが、前記特許文献１，２の技術は、左右のベゼル構成枠材が両端から内側へ直角に突き出す連結用突端部を有する場合には適用できないものであり、上記問題の解決には何の役にも立たない。
【００１０】
本発明は上記事情の下になされたもので、その解決しようとする課題は、ベゼル構成枠材の連結部分で液晶パネルの端縁部が損傷しないように改良した液晶モジュールを提供することにある。
【課題を解決するための手段】
【００１１】
上記課題を解決するため、本発明に係る液晶モジュールは、上下のベゼル構成枠材と左右のベゼル構成枠材を方形枠状に連結したベゼルで液晶パネルの四周縁を囲繞被覆した液晶モジュールであって、左右のベゼル構成枠材の両端から内側に直角に突き出す連結用突端部を液晶パネルより外側に偏位させて設ける一方、上下のベゼル構成枠材の両端に連結用突端部を受ける一段低い受け段部を液晶パネルより外側に偏位させて設け、上下のベゼル構成枠材の受け段部を除いた両端面を左右のベゼル構成枠材の内側端面に近接させると共に、連結用突端部を受け段部に重ねてビスで連結固定したことを特徴とするものである。
【００１２】
この液晶モジュールにおいては、連結用突端部を設けた左右のベゼル構成枠材の両端の内側コーナーに出隅部を液晶パネルより外側に偏位させて設ける一方、上下のベゼル構成枠材の両端に出隅部を避ける入隅部を液晶パネルより外側に偏位させて設けることが好ましい。
【００１３】
そして、本発明に係るもう一つの液晶モジュールは、上下のベゼル構成枠材と左右のベゼル構成枠材を方形枠状に連結したベゼルで液晶パネルの四周縁を囲繞被覆した液晶モジュールであって、上下のベゼル構成枠材の両端から内側に直角に突き出す連結用突端部を液晶パネルより外側に偏位させて設ける一方、左右のベゼル構成枠材の両端に連結用突端部を受ける一段低い受け段部を液晶パネルより外側に偏位させて設け、左右のベゼル構成枠材の受け段部を除いた両端面を上下のベゼル構成枠材の内側端面に近接させると共に、連結用突端部を受け段部に重ねてビスで連結固定したことを特徴とするものである。
【００１４】
この液晶モジュールにおいても、連結用突端部を設けた上下のベゼル構成枠材の両端の内側コーナーに出隅部を液晶パネルより外側に偏位させて設ける一方、左右のベゼル構成枠材の両端に出隅部を避ける入隅部を液晶パネルより外側に偏位させて設けることが好ましい。
【発明の効果】
【００１５】
本発明に係る前者の液晶モジュールは、左右のベゼル構成枠材の両端から内側に直角に突き出す連結用突端部を液晶パネルより外側に偏位させて設け、上下のベゼル構成枠材の両端に液晶パネルより外側に偏位させて設けた受け段部に上記連結用突端部を重ねて、ビスで連結固定しているため、連結用突端部の先端内側の角部が液晶パネルの端縁部に重なって接触することがなく、従って、連結用突端部の先端面にバリが発生していても、バリによって液晶パネルの端縁部が損傷する心配はなくなる。
【００１６】
そして、前者の液晶モジュールにおいて、連結用突端部を設けた左右のベゼル構成枠材の両端の内側コーナーに出隅部を液晶パネルより外側に偏位させて設ける一方、上下のベゼル構成枠材の両端に出隅部を避ける入隅部を液晶パネルより外側に偏位させて設けたものは、出隅部の補強作用によって、左右のベゼル構成枠材の連結用突端部のネック部分の強度が向上するという効果が得られる。しかも、上記出隅部は液晶パネルより外側に偏位して設けられ、連結用突端部をビスで連結するときに出隅部を押え込む力が作用したとしても、出隅部は液晶パネルの端縁部に接触することがないので、出隅部の端面に打抜き時のバリが発生していても、バリによって液晶パネルの端縁部が損傷する心配はなくなる。
【００１７】
また、本発明に係る後者の液晶モジュールは、上下のベゼル構成枠材の両端から内側に直角に突き出す連結用突端部を設け、左右のベゼル構成枠材の両端に受け段部を設けた点が異なるのみで、それ以外は前者の液晶モジュールと同様の構成であるから、前者の液晶モジュールと同様の作用効果を奏する。そして、後者の液晶モジュールにおいて出隅部と入隅部を形成したものも、前者の液晶モジュールにおいて出隅部と入隅部を形成したものと同様の作用効果を奏する。
【図面の簡単な説明】
【００１８】
【図１】本発明の一実施形態に係る液晶モジュールの分解斜視図である。
【図２】同液晶モジュールの正面図である。
【図３】図２のＡ−Ａ線拡大断面図である。
【図４】図２のＢ−Ｂ線拡大断面図である。
【図５】図２の円で囲んだ部分の拡大図である。
【図６】上辺のベゼル構成部材と右辺のベゼル構成部材の連結部分の分解正面図である。
【図７】上辺のベゼル構成部材と右辺のベゼル構成部材の連結部分の分解斜視図である。
【図８】本発明の他の実施形態に係る液晶モジュールを一部拡大して示す正面図である。
【図９】従来の液晶モジュールの部分正面図である。
【発明を実施するための形態】
【００１９】
図１〜図５に示す実施形態の液晶モジュールは、リアフレーム１、光反射シート２、Ｕ字状の冷陰極管３、ランプホルダー４、ランプフレーム５、光学シート６ａ，６ｂ、セルガイド７、液晶パネル８、ベゼル構成部材９１，９１，９２，９２を方形枠状に連結したベゼルなどの主要構成部品によって組み立てられている。
【００２０】
リアフレーム１は板金製の浅い箱型のフレームであって、その内部には、逆台形状に折り曲げられた光反射シート２が設けられている。この光反射シート２の上には、複数本（この実施形態では２本）のＵ字状の冷陰極管３が平行に配設されており、それぞれの冷陰極管３のＵ字状屈曲端部と中央部がランプホルダー４で保持されてリアフレーム１の底板１ｂに固定されている。
【００２１】
冷陰極管３のＵ字状屈曲端部と反対側の端部にはゴム製のランプソケット３ａが取付けられており、これらのランプソケット３ａは、リアフレーム１の左右いずれか片側の側板１ａ（この実施形態では右側の側板）に沿ってリアフレーム１の底板１ｂに形成されたソケット嵌着口（図には表れていない）に嵌着されて、そのリード線３ｂがリアフレーム１の背後に引き出されている。そして、リアフレーム１の左右の側板１ｂ，１ｄの内側には合成樹脂製のランプフレーム５，５が取付けられており、これらのランプフレーム５，５によって、明るさのバラツキが生じないようにＵ字状冷陰極管３のランプソケット３ａを取付けた端部とＵ字状屈曲端部がそれぞれ覆われている。
【００２２】
図１，図３に示すように、リアフレーム１の上下の側板１ｃ，１ｃはいずれも逆Ｕ字状に折り曲げられて二重側板とされており、この二重側板１ｃ，１ｃの上面には２枚の光学シート６ａ，６ｂの端縁（上下の端縁）が載置されて、セルガイド７，７で押えられている。そして、光学シート６ａ，６ｂの左右の端縁は、図４に示すように、ランプフレーム５，５の受け溝５ａに挿入されている。これらの光学シート６ａ，６ｂは、Ｕ字状冷陰極管３からの直射光や光反射シート２で反射された反射光を拡散して液晶パネル８を背後から均一に照らす光拡散シートであって、上側の光学シート６ｂは薄い光拡散シートであるが、下側の光学シート６ａは撓みにくい厚手の光拡散シート（光拡散板）が使用されている。
【００２３】
上記のランプフレーム５，５とセルガイド７，７の上には液晶パネル８の四周縁が載置されており、この液晶パネル８は、図１〜図４に示すようにランプフレーム５，５とセルガイド７，７の上面にそれぞれ形成された位置決め突起５ｂ，７ａによって、上下左右に移動しないように位置決めされている。図１，図３に示すように、液晶パネル８の端縁（上側の端縁）にはチップオンフィルム８ａを介してＸ−配線基板８ｂが接続されており、このＸ−配線基板８ｂはセルガイド７の側面に取付けられている。
【００２４】
上記液晶パネル８の四周縁は、図２に示すように、本発明の特徴とするベゼル９によって囲繞被覆されている。このベゼル９は、板金製の上下二本の長いベゼル構成部材９１，９１と左右二本の短いベゼル構成部材９２，９２を方形枠状に連結したものであって、図２，図５〜図７に示すように、左右のベゼル構成部材９２，９２には、両端から内側に直角に突き出す連結用突端部９２ａ，９２ａが液晶パネル８より外側に偏位して設けられており、この連結用突端部９２ａの上面の凹部９２ｂには、ピン挿通孔９２ｃとビス挿通孔９２ｄが形成されている。
【００２５】
この連結用突端部９２ａを設けたベゼル構成枠材９２の両端の外側コーナーには凹入部９２ｅが形成されている関係上、連結用突端部９２ａのネック部分の強度を向上させることが望ましく、それゆえ、ベゼル構成枠材９２の両端の内側コーナーに補強用の出隅部９２ｆを設けてネック部分の強度を向上させている。
【００２６】
一方、上下のベゼル構成枠材９１，９１の両端には、上記の連結用突端部９２ａの凹部９２ｂを受ける一段低い受け段部９１ａ，９１ａが液晶パネル８より外側に偏位して設けられており、この受け段部９１ａにはピン挿通孔９１ｂとビス挿通孔９１ｃが形成されている。そして、このベゼル構成枠材９１の受け段部９１ａを除いた両端に、上記出隅部９２ｆを避ける入隅部９１が形成されている。
【００２７】
上下のベゼル構成枠材９１，９１と左右のベゼル構成枠材９２，９２は、次の要領で連結固定されている。即ち、左右のベゼル構成枠材９２の連結用突端部９２ａの凹部９２ｂを上下のベゼル構成枠材９１の受け段部９１ａに重ねて、ベゼル構成枠材９１の受け段部９１ａを除いた両端面９１ｅをベゼル構成枠材９２の内側端面９２ｇに近接させると共に、出隅部９２ｆを入隅部９１ｄに噛み合わせ、前記セルガイド７から上向きに突き出す位置決めピン７ｂ（図１，図２，図５参照）を下方からピン挿通孔９１ｂ，９２ｃに挿通してベゼル構成枠材９１，９２を位置決めした状態のまま、上方からビス１０（図２，図３，図５参照）を前記ビス挿通孔９２ｄ，９１ｃとセルガイド７のビス挿通孔（不図示）に挿通してリアフレーム１の二重側壁１ｃの上面のネジ孔（不図示）にねじ込むことにより、ベゼル構成枠材９１，９２を連結すると同時にリアフレーム１に取付固定している。尚、ベゼル構成枠材９１，９２を連結固定する際には、図３〜図５に示すように、細帯状のクッション材１１が液晶パネル８の四周縁とベゼル構成枠材９１，９２の内側縁との間に挟挿される。
【００２８】
上記のように、上下二本のベゼル構成枠材９１，９１と左右二本のベゼル構成枠材９２，９２を方形枠状に連結固定したベゼル９によって液晶パネル８の四周縁を囲繞被覆した液晶モジュールは、左右のベゼル構成枠材９２の両端から内側に直角に突き出す連結用突端部９２ａを液晶パネル８より外側に偏位させて設け、上下のベゼル構成枠材９１の両端に液晶パネル８より外側に偏位させて設けた受け段部９１ａに上記連結用突端部９２ａを重ねて、ビス１０で連結固定した構造であるため、連結用突端部９２ａの先端内側の角部が液晶パネル８の端縁部に重なって接触することはない。また、左右のベゼル構成枠材９２の両端の内側コーナーに形成した出隅部９２ｆと、上下のベゼル構成枠材９１の両端に形成した入隅部９１ｄも、液晶パネル８より外側に偏位しているので、連結用突端部９２ａをビス止めするときに出隅部９２ｆを押え込む力が作用した場合でも、出隅部９２ｆが液晶パネル８の端縁部に接触することはない。従って、連結用突端部９２ａの先端面や出隅部９２ｆの端面に打抜き時のバリが発生していても、バリによって液晶パネル８の端縁部が傷つく心配を解消することができる。
【００２９】
尚、補強用の出隅部９２ｆと、この出隅部９２ｆを避ける入隅部９１ａは、省略しても勿論よい。
【００３０】
図８は本発明の他の実施形態に係る液晶モジュールを一部拡大して示す正面図であって、液晶パネル８の四周縁を囲繞被覆するベゼル９は、上下のベゼル構成枠材９１の両端から内側に直角に突き出す連結用突端部９１ｆが液晶パネル８より外側に偏位して設けられており、この連結用突端部９１ｆの凹部９１ｇにピン挿通孔とビス挿通孔が形成されている。そして、左右のベゼル構成枠材９２の両端には、連結用突端部９１ｆを受ける一段低い受け段部９２ｈが液晶パネル８より外側に偏位して設けられており、この受け段部９２ｈにピン挿通孔とビス挿通孔が形成されている。また、連結用突端部９１ｆを設けたベゼル構成枠材９１の両端の内側コーナーには、補強用の出隅部９１ｈが液晶パネル８より外側に偏位して設けられており、この出隅部９１ｈを避ける入隅部９２ｉが左右のベゼル構成枠材９２の両端に形成されている。
【００３１】
上下のベゼル構成枠材９１，９１と左右のベゼル構成枠材９２，９２の連結固定は、上下のベゼル構成枠材９１の連結用突端部９１ｆを左右のベゼル構成枠材９２の受け段部９２ｈに重ね、ベゼル構成枠材９２の受け段部９２ｈを除いた両端面をベゼル構成枠材９１の内側端面に近接させると共に、出隅部９１ｈを入隅部９２ｉに噛み合わせ、前記ランプフレーム５から上向きに突き出す位置決めピン５ｃを下方から上記ピン挿通孔に挿通してベゼル構成枠材９１，９２を位置決めしたまま、ビス１０（図２，図３，図５参照）を前記ビス挿通孔からランプフレーム５の上面のネジ孔（又はリアフレームのネジ孔）にねじ込むことによって行われている。
【００３２】
この液晶モジュールの他の構成は、前記液晶モジュールのそれと同様であるので、説明を省略する。尚、この液晶モジュールにおいても、補強用の出隅部９１ｈと、この出隅部９１ｈを避ける入隅部９２ｉを省略することは、勿論可能である。
【００３３】
この液晶モジュールは、上下のベゼル構成枠材９１の両端に連結用突端部９１ｆを設け、左右のベゼル構成枠材９２の両端に受け段部９２を設けた点が異なるのみで、連結固定構造そのものは前記液晶モジュールと実質的に同様であるから、前記液晶モジュールと同様の作用効果を奏する。
【符号の説明】
【００３４】
１    リアフレーム
２    光反射シート
３    冷陰極管
５    ランプフレーム
６ａ，６ｂ  光学シート
７    セルガイド
８    液晶パネル
９    ベゼル
９１  上下のベゼル構成枠材
９２  左右のベゼル構成枠材
９１ａ，９２ｈ  受け段部
９１ｆ，９２ａ  連結用突端部
９１ｅ  上下のベゼル構成枠材の受け段部を除いた両端面
９２ｇ  左右のベゼル構成枠材の内側端面
【図１】
2011002657.tif 000003
【図２】
2011002657.tif 000004
【図３】
2011002657.tif 000005
【図４】
2011002657.tif 000006
【図５】
2011002657.tif 000007
【図６】
2011002657.tif 000008
【図７】
2011002657.tif 000009
【図８】
2011002657.tif 000010
【図９】
2011002657.tif 000011